(57)【要約】【課題】電動モータによる生じる逆起電力に起因して情報記憶手段に保存された設定データ等のデータが破損することを防止する。【解決手段】当該電動ドライバは、電動モータと、電動モータの回転を検出して回転検出信号を送信するホールセンサと、電動モータの制御に関する設定データが保存されたメモリとを備える。電動ドライバの制御回路に電圧が印加されて制御回路が起動すると（Ｓ１００）、ホールセンサにより電動モータの回転を検出して電動モータが回転しているときにはメモリにアクセスしないようにする（Ｓ１０４）。電動モータが停止している時間が所定の基準時間（１００ｍｓ）以上になると、メモリへのアクセスが許可される（Ｓ１０６、Ｓ１０８）。【選択図】図４
2019124007.tif 000002
【特許請求の範囲】
【請求項１】
電動モータと、該電動モータの回転を検出して回転検出信号を送信する回転検出手段と、該電動モータの制御に関する設定データが保存される情報記憶手段とを備える電動工具のための制御回路であって、
当該制御回路に電圧が印加されたときに、該回転検出信号に基づいて該電動モータの回転の有無を判断し、該電動モータが回転しているときには該情報記憶手段にアクセスしないようにする、制御回路。
【請求項２】
該電動モータの回転が停止している時間が所定の基準時間以上となったと判断したときに該情報記憶手段へのアクセスを許可するようにされた、請求項１に記載の制御回路。
【請求項３】
該停止している時間が該基準時間以上となったときに該情報記憶手段にアクセスして該設定データを読み込み、該読み込んだ設定データに基づいて該電動工具の制御条件を設定するようにされた、請求項２に記載の制御回路。
【請求項４】
該情報記憶手段へのアクセスが一旦許可されると、その後は該電動モータの回転の有無に拘わらず該情報記憶手段へのアクセスが許可された状態が維持されるようにされた、請求項２又は３に記載の制御回路。
【請求項５】
該情報記憶手段が、読み込み及び書き込みが可能なメモリである、請求項１乃至４のいずれか一項に記載の制御回路。
【請求項６】
電動モータと、
該電動モータの回転を検出して回転検出信号を送信する回転検出手段と、
該電動モータの制御に関する設定データが保存される情報記憶手段と、
請求項１乃至４のいずれか一項に記載の制御回路と、
を備える、電動工具。
【請求項７】
電動モータと、該電動モータの回転を検出して回転検出信号を送信する回転検出手段と、該電動モータの制御に関する設定データが保存された情報記憶手段と、制御回路とを備える電動工具の制御方法であって、
該制御回路に電圧が印加されたときに、該回転検出手段によって該電動モータの回転を検出するステップと、
該電動モータが回転しているときには、該情報記憶手段にアクセスしないようにするステップと、
を含む制御方法。
【請求項８】
該電動モータの回転が停止している時間をカウントするステップと、
該停止している時間が該基準時間以上となったときに該情報記憶手段にアクセスして該設定データを読み込むステップと、
該読み込んだ設定データに基づいて該電動工具の制御条件を設定するステップと、
該設定するステップの後は、該電動モータの回転の有無に拘わらず、該情報記憶手段へのアクセスが許可された状態とするステップと、
を含む請求項７に記載の制御方法。
【発明の詳細な説明】
【技術分野】
【０００１】
本発明は、電動モータを備える電動工具のための制御回路、及び電動工具の制御方法に関する。
【背景技術】
【０００２】
例えば特許文献１には、電動モータによってドライバビットを回転駆動してねじ締め作業を行なうようにした電動ドライバが開示されている。このような電動ドライバにおいては、通常、ねじの種類やねじが締め付けられる部材に合せて締め付けトルクや締め付け時間などの設定をユーザが変更できるようになっている。そのため電動ドライバには、設定データを記録しておくための情報記憶手段が設けられている。この情報記憶手段は、多くの場合、読み込み及び書き込みが可能な半導体メモリにより構成されている。電動ドライバを外部電源に接続して電動ドライバの制御回路に電圧が印加されると、制御回路が自動的に起動し、電動ドライバの初期化および設定データに基づく電動ドライバの制御条件の設定が行なわれる。このような初期設定が完了すると、ユーザの操作に従ってねじ締め作業を実行することが可能な状態となる。【０００３】
上述の電動ドライバのような電動モータを備える電動工具においては、外部電源に接続していない状態であっても、外力により電動モータが回転されると逆起電力が発生して、制御回路に電圧が印加される。これにより制御回路を起動させるのに十分な大きさの電圧が制御回路に印加されると、制御回路が起動して電動工具の初期化や制御条件の設定が行なわれてしまうことがある。電動モータの逆起電力は不安定でありまた一時的に生じるものであるため、逆起電力による制御回路への電力供給は安定しない。そのため、通常は制御回路は一旦起動してもすぐに停止することになる。したがって、逆起電力により制御回路が起動すると、設定データが記録されているメモリなどの情報記憶手段にアクセスしている最中に制御回路が停止することがある。このようにしてメモリへのアクセス中に突然制御回路が停止すると、情報記憶手段に保存されている設定データ等のデータが破損する虞がある。【０００４】
このようなデータの破損を防止するために、電動モータと制御回路との間にダイオードを配置して電動モータの逆起電力に伴う電流が制御回路には流れないようにし、逆起電力により制御回路が起動しないようにすることも行なわれている。
【先行技術文献】
【特許文献】
【０００５】
【特許文献１】国際公開第２０１７／１７０６４８号
【発明の概要】
【発明が解決しようとする課題】
【０００６】
例えば上述のような電動ドライバにおいては、ねじの締め付けトルクは電動モータに流れる電流の大きさにおよそ比例するため、締付トルクを大きくしようとすると電動モータには大電流が流れることになる。逆起電力が制御回路に印加されないようにするためのダイオードは、このような大電流に耐えられる大容量のものである必要があるが、そのようなダイオードの入手は困難であるか、又は入手できたとしても大きなサイズものとなってしまい電動ドライバ自体を大きくしなければならなくなってしまう。【０００７】
そこで本発明は、ダイオードなどの電流制御回路素子を追加で利用することなく、電動モータによる生じる逆起電力に起因して情報記憶手段に保存されたデータが破損することを防止することが可能となる、電動工具のための制御回路を提供することを目的とする。また、そのような制御回路を備える電動工具、及びデータの破損を防止することが可能となる電動工具の制御方法を提供することを目的とする。
【課題を解決するための手段】
【０００８】
すなわち本発明は、
電動モータと、該電動モータの回転を検出して回転検出信号を送信する回転検出手段と、該電動モータの制御に関する設定データが保存される情報記憶手段とを備える電動工具のための制御回路であって、
当該制御回路に電圧が印加されたときに、該回転検出信号に基づいて該電動モータの回転の有無を判断し、該電動モータが回転しているときには該情報記憶手段にアクセスしないようにする、制御回路を提供する。【０００９】
当該制御回路においては、制御回路に電圧が印加されたときに電動モータが回転している場合には、情報記憶手段にアクセスしないようになっている。制御回路に電圧が印加された時点で電動モータが回転しているときは、電動モータが外力により回転されて逆起電力が発生し、この逆起電力によって制御回路に電圧が印加されて該制御回路が起動している可能性が高い。当該制御回路においては逆起電力により制御回路が起動している可能性が高いときには情報記憶手段にアクセスしないようになる。これにより、電動モータの逆起電力によって一時的に起動して制御回路が情報記憶手段にアクセスしている最中に制御回路が停止することによって情報記憶手段に保存されている設定データ等のデータが破損することを防止することが可能となる。【００１０】
好ましくは、該電動モータの回転が停止している時間が所定の基準時間以上となったと判断したときに該情報記憶手段へのアクセスを許可するようにすることができる。【００１１】
このようにすることによって、電動モータの回転が停止している状態をより確実に検知して、より安全な状態でのみ情報記憶手段にアクセスするようにすることが可能となる。回転検出手段としては、ホールセンサやエンコーダなどの種々のものが考えられるが、中には電動モータの回転軸が所定の回転位置を通過したときにだけ信号を発するものもある。そのような手段を利用した場合には、電動モータの回転を示す信号はパルス的にしか送信されず、よって電動モータが回転していても制御回路が該信号を受信しない時間が生じることになる。上述の構成によれば、このような場合でも電動モータの回転停止をより正確に判断して、電動モータが回転中であるにも関わらず電動モータが停止していると誤って判断して情報記憶手段にアクセスしてしまうことをより確実に防止することが可能となる。【００１２】
好ましくは、該停止している時間が該基準時間以上となったときに該情報記憶手段にアクセスして該設定データを読み込み、該読み込んだ設定データに基づいて該電動工具の制御条件を設定するようにすることができる。【００１３】
また、該情報記憶手段へのアクセスが一旦許可されると、その後は該電動モータの回転の有無に拘わらず該情報記憶手段へのアクセスが許可された状態が維持されるようにすることができる。【００１４】
具体的には、該情報記憶手段が、読み込み及び書き込みが可能なメモリであるようにすることができる。【００１５】
本発明はさらに、
電動モータと、
該電動モータの回転を検出して回転検出信号を送信する回転検出手段と、
該電動モータの制御に関する設定データが保存される情報記憶手段と、
上述のいずれかの制御回路と、
を備える、電動工具を提供する。【００１６】
本発明はさらに、
電動モータと、該電動モータの回転を検出して回転検出信号を送信する回転検出手段と、該電動モータの制御に関する設定データが保存された情報記憶手段と、制御回路とを備える電動工具の制御方法であって、
該制御回路に電圧が印加されたときに、該回転検出手段によって該電動モータの回転を検出するステップと、
該電動モータが回転しているときには、該情報記憶手段にアクセスしないようにするステップと、
を含む制御方法を提供する。【００１７】
当該方法においてはさらに、
該電動モータの回転が停止している時間をカウントするステップと、
該停止している時間が該基準時間以上となったときに該情報記憶手段にアクセスして該設定データを読み込むステップと、
該読み込んだ設定データに基づいて該電動工具の制御条件を設定するステップと、
該設定するステップの後は、該電動モータの回転の有無に拘わらず、該情報記憶手段へのアクセスが許可された状態とするステップと、
を含むようにすることができる。【００１８】
以下、本発明に係る電動工具の実施形態を添付図面に基づき説明する。
【図面の簡単な説明】
【００１９】
【図１】本発明の第１の実施形態に係る電動ドライバの外観図である。
【図２】図１の電動ドライバの機能ブロック図である。
【図３】回転検出手段の別の実施形態を示す図である。
【図４】図１の電動ドライバにおける起動時の動作を示すフローチャートである。
【図５】本発明の第２の実施形態に係る電動ドライバの外観図である。
【図６】図５の電動ドライバの機能ブロック図である。
【図７】図５の電動ドライバにおける起動時の動作を示すフローチャートである。
【発明を実施するための形態】
【００２０】
本発明の第１の実施形態に係る電動ドライバ（電動工具）１００は、図１及び図２に示すように、工具ハウジング１１０と、工具ハウジング１１０に内蔵された電動モータ１１２と、電動モータ１１２によって回転駆動されるビットホルダ１１４とを備える。ビットホルダ１１４には、対象となるねじに合せて適宜選択されたドライバビット１１６が取外し可能に取り付けられる。工具ハウジング１１０には、表示部１１８及び入力ボタン１２０を有する入力インターフェース１２２と、当該電動ドライバ１００を外部電源１２３に接続するための電源コード１２４とが設けられている。工具ハウジング１１０内にはさらに、電動モータ１１２の駆動を制御するためのモータ駆動回路１２６と、当該電動ドライバ１００全体の制御を行うための制御回路１２８と、電動モータ１１２のロータの回転位置を検出するホールセンサ１３０と、設定データが保存されている読み込み及び書き込みが可能な不揮発性の半導体メモリ（情報記憶手段）１３２と、が設けられている。さらに図には示していないが、製造段階で予め制御プログラムが格納されるプログラム用メモリや、制御回路１２８が制御プログラムを実行する際に利用するデータメモリ及びレジスタメモリも有している。プログラム用メモリは、プログラムの更新などの特別な状況を除いて、読み込み専用のメモリとして使用され、ユーザによってデータが書き込まれたり消去されたりすることは基本的にはない。データメモリ及びレジスタメモリは、制御プログラムの実行中にのみ使用され、電源停止とともに内部データが消去される揮発性のメモリである。
【００２１】
ここで「設定データ」とは、主として電動モータ１１２の制御に関する設定を行うためのデータであり、例えば、ねじ締め作業の際の設定トルク、電動モータ１１２の回転時間、締付を行なうねじの本数、正常にねじ締め作業が完了したと判断するときの合格基準、などを設定するためのデータである。設定データは、入力インターフェース１２２を操作したり、又はパソコンなどの外部装置からデータを送信したりすることにより、ユーザが任意に変更することができる。変更された設定データはメモリ１３２に書き込まれて保存される。
【００２２】
ホールセンサ１３０は、電動モータ１１２のステータ側に固定されていて、ロータに設けられた磁石によって生じる磁界を検知することにより、ロータの回転位置を検出する。ホールセンサ１３０により検出されたロータの回転位置に基づいてステータの各コイルに対する通電タイミングが制御され、これによりロータが円滑に回転するようになる。また当該電動ドライバ１００においては、制御回路１２８が、ホールセンサ１３０から送信される出力信号を受信して、この出力信号に基づいて電動モータ１１２の回転の有無を判断するようにもなっている。すなわち、ホールセンサ１３０は電動モータ１１２の回転を検出するための回転検出手段としても機能する。制御回路１２８は、出力信号（回転検出信号）に変化がない場合には電動モータ１１２の回転が停止していると判断し、出力信号に変化がある場合には電動モータ１１２が回転していると判断する。
【００２３】
電動モータ１１２の回転を検出するための回転検出手段として、ホールセンサ１３０以外の任意のものを使用することができる。例えば図３には、電動モータ１１２の各コイルにつながる各配線１３４に抵抗素子１３６を接続した実施形態が示されている。この実施形態においては、各抵抗素子１３６における電圧変化を検知することにより、配線１３４を流れる電流を検知するようになっている。配線１３４に電流が流れるときとは、制御プログラムに基づいて電動モータ１１２に電力が供給されて電動モータ１１２を回転駆動しているときか、または外力によって電動モータ１１２が回転されることにより逆起電力が生じているときか、の何れかであると考えられる。いずれにしても配線１３４に電流が生じている状態では電動モータ１１２が回転している可能性が高い。よって、各抵抗素子１３６の間の電圧変化を検知することにより、電動モータ１１２の回転の有無を検出することが可能となる。なお、図示の例では電動モータ１１２が三相モータとなっているが単相モータとしてもよい。又は、電動モータ１１２の回転軸や、この回転軸からドライバビット１１６にまで動力を伝達するための回転機構にトルクセンサを配置し、トルクセンサがトルク変化を検知したときに電動モータ１１２が回転していると判断するようにすることもできる。さらには、エンコーダにより回転検出を行なうようにすることもできる。本発明における回転検出手段は、上述のように種々のものが利用でき、本発明の目的を逸脱しない範囲内において他の如何なる検出原理に基づく手段としてもよい。
【００２４】
当該電動ドライバ１００の起動時の動作（制御方法）について、図４を参照して以下に説明する。制御回路１２８に電圧が印加されると、制御回路１２８が起動して初期設定が行なわれる。具体的には、制御回路１２８が起動すると（Ｓ１００）、まず初期化を行なう（Ｓ１０２）。ここで初期化とは、例えばプログラム用メモリから制御プログラムを読み込んだり、必要なデータをデータメモリやレジスタメモリに格納したりして、制御プログラムを実行できる状態とする動作を意味する。次に、ホールセンサ１３０から送信される回転検出信号に基づいて電動モータ１１２の回転の有無を判断する（Ｓ１０４）。具体的には、回転検出信号に変化が無ければ電動モータ１１２は停止していると判断し、変化があれば電動モータ１１２が回転していると判断する。電動モータ１１２が回転しているときには、電動モータ１１２が停止するまで待機する。電動モータ１１２が停止しているときには、電動モータ１１２が停止している時間をカウントし（Ｓ１０６）、停止時間が所定の基準時間（本実施形態では１００ｍｓ）になるまで待機する。停止時間が基準時間以上になると、メモリ１３２へのアクセスを開始して設定データの読み込みを行ない（Ｓ１０８）、読み込んだ設定データに基づいて当該電動ドライバ１００の制御条件を設定する（Ｓ１１０）。なお、このときにメモリ１３２には起動回数を示すデータが書き込まれる。この設定が正常に完了すると（Ｓ１１２）、一連の初期設定が完了してユーザの操作に基づくねじ締め作業を実行可能な状態となる（Ｓ１１４）。
【００２５】
当該電動ドライバ１００においては、上述のように制御回路１２８に電圧が印加されると初期設定が自動的に行なわれるようになっている。制御回路１２８に電圧が印加されるのは、通常は、当該電動ドライバ１００が外部電源１２３に接続されて、外部電源１２３から電力が供給されたときである。このようなときには、通常は電動モータ１１２はまだ回転していないため、図４のフローチャートに従ってメモリ１３２へのアクセスが許可されて設定データに基づく設定が行なわれることになる。一方で、当該電動ドライバ１００を外部電源１２３に接続していない状況においても、ドライバビット１１６を手で回すなどして外力により電動モータ１１２が回転されると、電動モータ１１２に逆起電力が発生し、電動モータ１１２から制御回路１２８に電流が流れて制御回路１２８に電圧が印加された状態となる。このときに制御回路１２８に起動に必要な大きさの電圧が印加されれば、制御回路１２８は起動することになる。電動モータ１１２の逆起電力は通常は数秒またはそれ以下の短時間だけ生じることが多いため、制御回路１２８は起動してもすぐに停止することになる。そのため、逆起電力により制御回路１２８が一時的に起動している最中にメモリ１３２にアクセスをすると、アクセス中に電力供給がなくなり制御回路１２８が停止する可能性が比較的に高い。メモリ１３２にアクセスしている最中、特にメモリ１３２に対してデータの書き込みを行なっている最中に制御回路１２８が停止すると、メモリ１３２内に記憶されている設定データなどのデータが破損する虞がある。当該電動ドライバ１００においては、上述のように電動モータ１１２の回転をホールセンサ１３０により監視して電動モータ１１２が回転しているときにはその回転が停止するまで待機するようになっている。よって、電動モータ１１２の回転に伴う逆起電力により制御回路１２８が起動しているときにはメモリ１３２にアクセスしない。すなわち、当該電動ドライバ１００においては、外部電源１２３からの安定した電力供給が行なわれているときにのみメモリ１３２にアクセスするようになっているため、制御回路１２８がメモリ１３２にアクセスしている最中に制御回路１２８が停止することによってメモリ１３２内の設定データが破損する可能性を低減することが可能となる。なお、プログラム用メモリ、データメモリ、及びレジスタメモリは、初期化工程（Ｓ１０２）において逆起電力によって起動した時にもアクセスされることになるが、プログラム用メモリは読み込み専用でありデータの書き込みが起動時に行なわれることはないため制御回路１２８の停止によりデータが破損する可能性は低いし、またデータメモリ及びレジスタメモリ内のデータはもともと電力供給が停止されれば消去されるものであるためそこに保存されていたデータが損傷したとしても問題とならない。
【００２６】
当該電動ドライバ１００においては、電動モータ１１２の回転が停止したと判断してからすぐにメモリ１３２へのアクセスを許可するのではなく、電動モータ１１２が所定の基準時間（１００ｍｓ）以上停止したことを確認してからアクセスを許可するようになっている。外力によって電動モータが回転されるときには、電動モータの回転は連続的に行なわれず一時的に停止してすぐにまた回転されるような場合も考えられる。また、上述のように回転検出手段としては種々のものを採用することができるが、中にはロータが所定の回転位置になったときにだけ信号を送信するものもあり、そのような回転検出手段を採用した場合には、回転検出信号が送信されていなくても実際には電動モータ１１２が回転していることもあり得る。上述のような所定の基準時間を設けることにより、電動モータ１１２が停止していることをより確実に判断することが可能となり、これによって逆起電力による起動時のメモリ１３２へのアクセスをより確実に防止することが可能となる。
【００２７】
なお、メモリ１３２へのアクセスが一旦許可されて初期設定が完了した状態においては、当該電動ドライバ１００への電力供給は安定した外部電源１２３により行なわれている可能性が高いため、情報記憶手段へのアクセス中に電力供給が急に停止される可能性は極めて低い。したがって、メモリ１３２へのアクセスが一旦許可されると、これ以降は電動モータ１１２の回転の有無に拘わらず任意のタイミングでのメモリ１３２へのアクセスが許可された状態とされ、またその状態が維持される。
【００２８】
本発明の第２の実施形態に係る電動ドライバ２００は、図５及び図６に示すように、電動ドライバ本体２０２と、それを制御するためのコントローラ２０４とからなる。電動ドライバ本体２０２とコントローラ２０４とは、それぞれに設けられた通信部２３８ａ，２３８ｂを介して通信ケーブル２０６により接続されている。外部電源２２３に接続される電源コード２２４はコントローラ２０４の側に設けられており、外部電源２２３から電動ドライバ本体２０２への電力供給は、コントローラ２０４から通信ケーブル２０６を介して行なわれる。電動ドライバ本体２０２の工具ハウジング２１０内には、図６に示すように、第１の実施形態に係る電動ドライバ１００と同様な、電動モータ２１２、モータ駆動回路２２６、及びホールセンサ２３０が設けられている。入力インターフェース２２２はコントローラ２０４の側に設けられている。
【００２９】
当該電動ドライバ２００においては、電動ドライバ本体２０２とコントローラ２０４とにそれぞれ制御回路２２８ａ、２２８ｂが設けられている。これら２つの制御回路２２８ａ、２２８ｂは通信ケーブル２０６を介して互いに通信しており、２つの制御回路２２８ａ、２２８ｂにより第１の実施形態における制御回路１２８と同様の機能を果たしている。同様に電動ドライバ本体２０２とコントローラ２０４とのそれぞれにメモリ２３２ａ、２３２ｂが設けられ、これら２つのメモリ２３２ａ、２３２ｂにより第１の実施形態におけるメモリ１３２と同様な機能を果たしている。
【００３０】
制御回路２２８ａ、２２８ｂに電圧が印加されると、図７に示すように、制御回路２２８ａ、２２８ｂがそれぞれ起動して初期設定が行なわれる。具体的には、電動ドライバ本体２０２の側の制御回路２２８ａは、起動すると（Ｓ２００）まず初期化を行なう（Ｓ２０２）。次に、ホールセンサ２３０からの回転検出信号に基づいて電動モータ２１２の回転の有無を判断する（Ｓ２０４）。電動モータ２１２が停止していないときには、電動モータ２１２が停止するまで待機する。電動モータ２１２が停止しているときには、電動モータ２１２が停止している時間をカウントする（Ｓ２０６）。停止時間が所定の基準時間（本実施形態では１００ｍｓ）になるまで待機する。停止時間が基準時間以上になると、コントローラ２０４の側の制御回路２２８ｂに対して正常開始信号を送信する（Ｓ２０８）。
【００３１】
コントローラ２０４側の制御回路２２８ｂは、起動後（Ｓ２５０）に正常開始信号を受信すると（Ｓ２５２）、メモリ２３２ｂにアクセスして設定データを読み込み（Ｓ２５４）、読み込んだ設定データを電動ドライバ本体２０２の側の制御回路２２８ａに送信する（Ｓ２５６）。電動ドライバ本体２０２の側の制御回路２２８ａは、設定データを受信すると（Ｓ２１０）、受信した設定データに基づいて当該電動ドライバ２００の制御条件を設定する（Ｓ２１２）。このときメモリ２３２ａには設定データが書き込まれる。次に正常に設定が完了したかを判断し（Ｓ２１４）、正常に完了していればＯＫ信号をコントローラ２０４側の制御回路２２８ｂに送信し（Ｓ２１６）、正常に完了していなければＮＧ信号をコントローラ２０４側の制御回路２２８ｂに送信する（Ｓ２１８）。ＯＫ信号を送信したときには、電動ドライバ本体２０２側での初期設定が完了して、ねじ締め作業を実行できる状態となる（Ｓ２２０）。コントローラ２０４の側の制御回路２２８ｂは、ＯＫ信号を受信したときには（Ｓ２５８）、コントローラ２０４側での初期設定を完了してねじ締め作業を実行できる状態となる（Ｓ２６０）。一方でＮＧ信号を受信したときには（Ｓ２５８）、再度メモリ１３２にアクセスして、設定データの読み込み（Ｓ２５４）からやり直す。当該電動ドライバ２００においても、第１の実施形態に係る電動ドライバ１００と同様に制御回路２２８ａ、２２８ｂの起動時に電動モータ２１２の回転の有無を監視することにより、電動モータ２１２の逆起電力により起動したときにはメモリ２３２ａ、２３２ｂにアクセスしないようにしている。これにより、制御回路２２８ａ、２２８ｂがメモリ２３２ａ、２３２ｂにアクセスしている最中に制御回路２２８ａ、２２８ｂが停止することにともなうメモリ２３２ａ、２３２ｂ内の設定データ等のデータの破損を防止することが可能となっている。
【００３２】
なお、当該実施形態においては、制御回路２２８ａ、２２８ｂ及びメモリ２３２ａ、２３２ｂを電動ドライバ本体２０２とコントローラ２０４とに分散して配置しているが、その役割分担は適宜変更しても良い。また、制御回路２２８ａ、２２８ｂやメモリ２３２ａ、２３２ｂは、電動ドライバ本体２０２とコントローラ２０４のうちの一方にまとめて配置することもできる。
【００３３】
以上に本発明の実施形態について説明をしたが、本発明はこれら実施形態に限定されるものではない。例えば、上記実施形態においては、本発明を電動ドライバを例として説明しているが、トルクレンチや研磨機などの電動モータを駆動源とする他の形態の電動工具とすることもできる。また、電動モータの回転が停止している時間が所定の基準時間以上となってからメモリへのアクセスを許可するようになっているが、この基準時間は任意に変更可能である。また、例えば電動モータの回転停止を確実に検知できる回転検出手段を採用している場合などには、基準時間を無くして電動モータの回転が停止していると判断したら直ちにメモリへのアクセスを許可するようにしてもよい。設定データを保存するための情報記憶手段として上述のような内蔵された半導体メモリ以外にも、ハードディスクドライブ、書き込み可能なＣＤやＤＶＤなどの記録メディア、及び取外し可能なＵＳＢメモリなど、他の手段を採用することもできる。
【符号の説明】
【００３４】
１００  電動ドライバ（電動工具）
１１０  工具ハウジング
１１２  電動モータ
１１４  ビットホルダ
１１６  ドライバビット
１１８  表示部
１２０  入力ボタン
１２２  入力インターフェース
１２３  外部電源
１２４  電源コード
１２６  モータ駆動回路
１２８  制御回路
１３０  ホールセンサ
１３２  メモリ（情報記憶手段）
１３４  配線
１３６  抵抗素子
２００  電動ドライバ
２０２  電動ドライバ本体
２０４  コントローラ
２０６  通信ケーブル
２１０  工具ハウジング
２１２  電動モータ
２２２  入力インターフェース
２２３  外部電源
２２４  電源コード
２２６  モータ駆動回路
２２８ａ  制御回路
２２８ｂ  制御回路
２３０  ホールセンサ
２３２ａ  メモリ
２３２ｂ  メモリ
２３８ａ  通信部
２３８ｂ  通信部
【図１】
2019124007.tif 000003
【図２】
2019124007.tif 000004
【図３】
2019124007.tif 000005
【図４】
2019124007.tif 000006
【図５】
2019124007.tif 000007
【図６】
2019124007.tif 000008
【図７】
2019124007.tif 000009
【国際調査報告】
2019124007.tif 000010
2019124007.tif 000011
2019124007.tif 000012